(57)【要約】【課題】  表示手段の画素が正常でない場合にも表示内容の保障がとれ、重要な機能も表示手段に表示することができる車両用表示装置を提供する。【解決手段】  本発明に係る車両用表示装置１は、複数の画素からなり車両に設けられ、入力される表示データに基づいて画像を表示するＴＦＴ液晶３と、ＴＦＴ液晶３に表示された画像を撮影するカメラ５と、カメラ５の撮影データを表示データと比較し、ＴＦＴ液晶３に表示されるべき画像と実際に表示された画像との差分を検出するＧＤＣ２０と、ＧＤＣ２０に検出された差分が所定の条件を満たす場合に、ＴＦＴ液晶３の画素が正常でないことをスピーカー２１により通知するマイコン１９とを備える。【選択図】  図１
2020118874.tif 000002
【特許請求の範囲】
【請求項１】
複数の画素からなり車両に設けられ、入力される表示データに基づいて画像を表示する表示手段と、
前記表示手段に表示された画像を撮影する撮影手段と、
前記撮影手段の撮影データを前記表示データと比較し、前記表示手段に表示されるべき画像と実際に表示された画像との差分を検出する差分検出手段と、
前記差分検出手段に検出された差分が所定の条件を満たす場合に、前記表示手段の画素が正常でないことを通知する通知手段とを備えることを特徴とする車両用表示装置。
【請求項２】
前記撮影手段は、前記表示手段に表示された画像の一部を撮影し、
前記差分検出手段は、前記撮影手段の撮影データを前記表示データの一部と比較し、前記差分を検出することを特徴とする請求項１に記載の車両用表示装置。
【請求項３】
前記画素はＲ、Ｇ、Ｂの副画素からなり、
前記表示手段は、前記Ｒの副画素の全部又は一部を点灯させる第一の表示データが入力されると赤色画像、前記Ｇの副画素の全部又は一部を点灯させる第二の表示データが入力されると緑色画像、及び、前記Ｂの副画素の全部又は一部を点灯させる第三の表示データが入力されると青色画像を表示し、
前記撮影手段は、前記赤色画像、前記緑色画像及び前記青色画像を撮影し、
前記差分検出手段は、前記撮影手段の前記赤色画像についての撮影データを前記第一の表示データと、前記撮影手段の前記緑色画像についての撮影データを前記第二の表示データと、前記撮影手段の前記青色画像についての撮影データを前記第三の表示データと比較し、前記差分を検出することを特徴とする請求項１又は請求項２に記載の車両用表示装置。
【発明の詳細な説明】
【技術分野】
【０００１】
本発明は、複数の画素からなり車両のメーターパネル等に用いられるＴＦＴ液晶等の表示手段を備える車両用表示装置に関する。
【背景技術】
【０００２】
複数の画素からなり車両のメーターパネル等に用いられるＴＦＴ液晶等の表示手段を備える車両用表示装置として、例えば特許文献１に記載されたものがある。この車両用表示装置は、車両のステアリングコラムのコラムカバーに固定され、タッチパネル及び液晶表示部を有する液晶パネルを備え、液晶パネルには、車速メータやエンジン回転数メータ、フューエルメータ、警告灯等が表示される。
【先行技術文献】
【特許文献】
【０００３】
【特許文献１】特開２０１５−１１３０３８号公報
【発明の概要】
【発明が解決しようとする課題】
【０００４】
ところで、特許文献１に記載の液晶パネルのように、メーターパネル等の全面を複数の画素からなる表示手段で構成しようとすると、その表示手段の画素が正常でない（画素に異常がある）ことによる故障をシステム的に検出することができないため、機能安全の観点から表示手段（液晶パネル）のみに表示することができない重要な機能（例えば、警告灯）があり、結局はその機能を表示手段以外の構成でも別途表示しなければならないという問題がある。
【０００５】
本発明は、上記の事情に鑑みてなされたもので、表示手段の画素が正常でない場合にも表示内容の保障がとれ、重要な機能も表示手段に表示することができる車両用表示装置を提供することを課題としている。
【課題を解決するための手段】
【０００６】
上記課題を解決するために、本発明は、複数の画素からなり車両に設けられ、入力される表示データに基づいて画像を表示する表示手段と、前記表示手段に表示された画像を撮影する撮影手段と、前記撮影手段の撮影データを前記表示データと比較し、前記表示手段に表示されるべき画像と実際に表示された画像との差分を検出する差分検出手段と、前記差分検出手段に検出された差分が所定の条件を満たす場合に、前記表示手段の画素が正常でないことを通知する通知手段とを備える車両用表示装置を特徴とする。
【０００７】
前記撮影手段は、前記表示手段に表示された画像の一部を撮影し、前記差分検出手段は、前記撮影手段の撮影データを前記表示データの一部と比較し、前記差分を検出してもよい。
【０００８】
また、前記画素はＲ、Ｇ、Ｂの副画素からなり、前記表示手段は、前記Ｒの副画素の全部又は一部を点灯させる第一の表示データが入力されると赤色画像、前記Ｇの副画素の全部又は一部を点灯させる第二の表示データが入力されると緑色画像、及び、前記Ｂの副画素の全部又は一部を点灯させる第三の表示データが入力されると青色画像を表示し、前記撮影手段は、前記赤色画像、前記緑色画像及び前記青色画像を撮影し、前記差分検出手段は、前記撮影手段の前記赤色画像についての撮影データを前記第一の表示データと、前記撮影手段の前記緑色画像についての撮影データを前記第二の表示データと、前記撮影手段の前記青色画像についての撮影データを前記第三の表示データと比較し、前記差分を検出してもよい。
【発明の効果】
【０００９】
本発明に係る車両用表示装置によれば、表示手段の画素が正常でない場合にも表示内容の保障がとれ、重要な機能も表示手段に表示することができる。
【図面の簡単な説明】
【００１０】
【図１】発明を実施するための形態に係る車両用表示装置を示す説明図である。
【図２】図１の車両用表示装置のメーターパネルを示す説明図である。
【図３】図１の車両用表示装置のＴＦＴ液晶の動作確認処理を示す流れ図である。
【図４】図１の車両用表示装置のＴＦＴ液晶の動作確認処理の他の例を示す流れ図である。
【発明を実施するための形態】
【００１１】
本発明を実施するための形態について、図面に基づいて説明する。
【００１２】
図１に示すように、本実施の形態に係る車両用表示装置１は、図示を略す車両のインストルメントパネル２に設けられ、ＴＦＴ液晶３と、ＰＣＢ（回路基板）４と、カメラ５とを備える。
【００１３】
インストルメントパネル２には、車両の後方（図１の右側）に向けて開口した箱状の筐体６と、筐体６の開口を覆う文字盤７と、文字盤７の上下から車両の後方に延在する見返し８，９と、見返し８，９の対向空間１０を覆う透明のメーターガラス１１とが設けられ、見返し８には孔部１２が形成されている。
【００１４】
ＴＦＴ液晶３は複数の画素（ピクセル）からなり、筐体６の内部でメーターガラス１１の側から見て文字盤７の奥に設けられ、各画素はＲ、Ｇ、Ｂの副画素（サブピクセル）からなる。図２に示すように、ＴＦＴ液晶３は、入力される表示データに基づいて、インストルメントパネル２に設けられたメーターパネル１３の全体に画像を表示する。図２において、メーターパネル１３には、速度計１４、回転計１５、燃料計１６、水温計１７、警告灯１８ａ、１８ｂ、１８ｃ、１８ｄ、１８ｅ、１８ｆ、１８ｇ、１８ｈ、ポジションインジケーター１８ｉが表示されているが、ＴＦＴ液晶３による表示は、これに限られるものではない。
【００１５】
ＰＣＢ４は、筐体６の内部でメーターガラス１１の側から見てＴＦＴ液晶３の奥に設けられ、ＰＣＢ４には、マイコン１９と、ＧＤＣ（グラフィックディスプレイコントローラ）２０と、スピーカー２１とが設けられている。マイコン１９には、車両の車速、エンジンの回転数、その他各種の情報が入力され、これらの情報がＧＤＣ２０に入力されて表示データが生成される。マイコン１９に制御されてＧＤＣ２０で生成された表示データは、ＴＦＴ液晶３に入力され、この表示データに基づいてＴＦＴ液晶３に画像が表示される。スピーカー２１は、マイコン１９に制御され、各種の音声又は音を出力する。
【００１６】
カメラ５は、見返し８の上方に設けられ、孔部１２を通してメーターパネル１３を撮影する。カメラ５の撮影データは、ＧＤＣ２０に入力され、ＴＦＴ液晶３の画素が正常であるか否かの確認が行われる。
【００１７】
すなわち、図３に示すように、車両用表示装置１の起動後はカメラ５が常時メーターパネル１３の全体を撮影し、その撮影データがＧＤＣ２０に入力される（ステップ１（図中「Ｓ．１」と記載。以下同様。））。
【００１８】
ＧＤＣ２０は、ＴＦＴ液晶３に出力した表示データと、入力されたカメラ５の撮影データとを比較して両データの差分を確認することにより、ＴＦＴ液晶３に表示されるべき画像と実際に表示された画像との差分を検出し、その差分がマイコン１９に入力される（ステップ２）。
【００１９】
そして、マイコン１９は、入力された差分が所定の条件を満たすか否か、例えば、表示データと撮影データとの輝度差が一定以上ある画素の数又は面積が一定以上あるか否かを判断し（ステップ３）、所定の条件を満たす場合には、ＴＦＴ液晶３の少なくとも一部の画素が正常でないとして、スピーカー２１により警告音声又は警告音を吹鳴し、その旨を車両の使用者に通知することにより（ステップ４）、使用者にディーラー等の点検に行くことを促す。
【００２０】
本実施の形態に係る車両用表示装置１は、複数の画素からなり車両に設けられ、入力される表示データに基づいて画像を表示するＴＦＴ液晶３と、ＴＦＴ液晶３に表示された画像を撮影するカメラ５と、カメラ５の撮影データを表示データと比較し、ＴＦＴ液晶３に表示されるべき画像と実際に表示された画像との差分を検出するＧＤＣ２０と、ＧＤＣ２０に検出された差分が所定の条件を満たす場合に、ＴＦＴ液晶３の画素が正常でないことをスピーカー２１により通知するマイコン１９とを備えるので、ＴＦＴ液晶３の画素が正常でない場合にも、使用者がそのことを通知されて知覚するために表示内容の保障がとれ、警告灯１８ａ?１８ｈ等の重要な機能をＴＦＴ液晶３だけで表示することができる。
【００２１】
なお、カメラ５は、メーターパネル１３の全体ではなく重要な機能が表示される一部の領域（例えば、警告灯１８ａ?１８ｈやポジションインジケーター１８ｉが表示されるワーニングエリア１８）のみを撮影し、ＧＤＣ２０は、そのカメラ５の撮影データを表示データの対応する一部（例えば、ワーニングエリア１８の部分を表示する表示データ）と比較して差分を検出してもよく、これにより、撮影及び差分の検出に関する処理の負担を低減しながらも、ＴＦＴ液晶３の画素の異常により重要な情報が使用者に伝わらない事態を防止することができる。
【００２２】
あるいは、図４に示すように、車両用表示装置１の起動直後に、ＧＤＣ２０からＲの副画素の全部又は一部（重要な機能が表示される領域で、例えばワーニングエリア１８）を点灯させる第一の表示データが入力されてＴＦＴ液晶３が赤色画像を表示し（ステップ１１）、カメラ５がその赤色画像を撮影し（ステップ１２）、ＧＤＣ２０がその赤色画像についてのカメラ５の撮影データを第一の表示データと比較して差分を検出し（ステップ１３）、ＧＤＣ２０からＧの副画素の全部又は一部を点灯させる第二の表示データが入力されてＴＦＴ液晶３が緑色画像を表示し（ステップ１４）、カメラ５がその緑色画像を撮影し（ステップ１５）、ＧＤＣ２０がその緑色画像についてのカメラ５の撮影データを第二の表示データと比較して差分を検出し（ステップ１６）、ＧＤＣ２０からＢの副画素の全部又は一部を点灯させる第三の表示データが入力されてＴＦＴ液晶３が青色画像を表示し（ステップ１７）、カメラ５がその青色画像を撮影し（ステップ１８）、ＧＤＣ２０がその青色画像についてのカメラ５の撮影データを第三の表示データと比較して差分を検出し（ステップ１９）、マイコン１９がステップ１３，１６，１９で検出した差分のいずれかが所定の条件を満たすか否かを判断し（ステップ２０）、所定の条件を満たす場合には、ＴＦＴ液晶３の少なくとも一部の画素が正常でないとして、スピーカー２１により警告音声又は警告音を吹鳴し、その旨を車両の使用者に通知することとしてもよい（ステップ２１）。これにより、車両用表示装置１の起動直後にＴＦＴ液晶３の画素が正常であるか否かの確認が完了し、撮影及び差分の検出を常時行うことに伴う処理の負担を低減することができる。
【００２３】
なお、ステップ２０で所定の条件を満たさない場合は、ＴＦＴ液晶３の画素が正常であり、ステップ２１で警告音声又は警告音による通知を行った場合は、ＴＦＴ液晶３の画素が正常でないことを既に使用者に通知済みであるから、ＴＦＴ液晶３は、その後は、ＧＤＣ２０からの表示データに基づいて、メーターパネル１３の通常の画像（図２に示すような画像）を表示する（ステップ２２）。
【００２４】
以上、本発明を実施するための形態について例示したが、本発明の実施形態は上述したものに限られず、発明の趣旨を逸脱しない範囲で適宜変更等してもよい。
【００２５】
例えば、上記実施の形態では、表示手段としてＴＦＴ液晶を例示したが、複数の画素からなるものであれば有機ＥＬ等であってもよく、図４の処理は、車両用表示装置１の起動直後ではなく、車両が走行していない他の時間帯に行ってもよい。
【符号の説明】
【００２６】
１    車両用表示装置
３    ＴＦＴ液晶（表示手段）
５    カメラ（撮影手段）
１９  マイコン（通知手段）
２０  ＧＤＣ（差分検出手段）
２１  スピーカー
【図１】
2020118874.tif 000003
【図２】
2020118874.tif 000004
【図３】
2020118874.tif 000005
【図４】
2020118874.tif 000006